(57)【要約】【課題】本発明は、利用者が入金した現金から売上金を売上収納庫に収納した後で、残った現金のうち、釣銭とする金種を釣銭収納庫に収納し、釣銭としない金種を排出することができる現金入出金装置を提供する。【解決手段】  現金入出金装置（１）は、釣銭として利用する釣銭金種と非釣銭金種とを記憶する記憶部（１２）と、現金が投入されて排出される入出金部（２１）と、入出金部に投入された入金現金から売上金を収納する売上収納部（１１ａ，２２，２４）と、入金現金から売上金を差し引いた余剰現金のうち釣銭金種の釣銭現金を収納する釣銭収納部（１１ｂ，２２，２５）と、余剰現金のうち非釣銭金種の非釣銭現金を入出金部から排出させる非釣銭排出部（１１ｄ，２２）と、釣銭収納部に収納された釣銭現金を入出金部から排出させる釣銭排出部（１１ｃ，２２）と、を備える。【選択図】図１
2010055401.tif 000002
【特許請求の範囲】
【請求項１】
売上金を収納する現金入出金装置であって、
釣銭として利用する釣銭金種と、非釣銭金種とを記憶する記憶部と、
現金が投入されて、排出される現金入出金部と、
前記現金入出金部に投入された入金現金から、売上金を収納する売上収納部と、
前記入金現金から前記売上金を差し引いた余剰現金のうち前記釣銭金種の釣銭現金を収納する釣銭収納部と、
前記余剰現金のうち前記非釣銭金種の非釣銭現金を前記現金入出金部から排出させる非釣銭排出部と、
前記釣銭収納部に収納された前記釣銭現金を、前記現金入出金部から排出させる釣銭排出部と、
を備えることを特徴とする現金入出金装置。
【請求項２】
前記釣銭収納部は、
収納している前記釣銭現金の枚数を前記釣銭金種別に数え、前記釣銭金種毎に予め設定された収納最大枚数を超える前記釣銭金種の余剰釣銭現金を、前記現金入出金部から排出させる余剰釣銭排出部を備えることを特徴とする請求項１に記載された現金入出金装置。
【請求項３】
前記売上収納部は、前記売上金が収納される売上収納庫を備え、
前記釣銭収納部は、前記釣銭現金が収納される釣銭収納庫を備えることを特徴とする請求項１または請求項２に記載された現金入出金装置。
【請求項４】
前記釣銭収納庫は、さらに、前記釣銭金種毎の収納庫を備え、
前記釣銭収納部は、前記釣銭現金を前記釣銭金種毎に、該当する金種の収納庫に収納することを特徴とする請求項３に記載された現金入出金装置。
【発明の詳細な説明】
【技術分野】
【０００１】
本発明は、売上金を収納し、釣銭を支払うための釣銭準備金を出金する現金入出金装置に関するものである。
【背景技術】
【０００２】
従来の現金入出金装置は、百貨店やスーパーマーケット、コンビニエンスストア等の小売業の店舗等に設置され、利用者が入金した現金を、売上金と、それ以外の余剰金とに分け、売上金を売上金収納庫に収納し、余剰金を釣銭収納庫に収納している。そして、釣銭収納庫に収納された余剰金から、釣銭準備金として、五千円札、千円札および各種硬貨を繰り出している（例えば、特許文献１参照）。
【特許文献１】特開２００６−１５５３２６号公報（段落［００３１］〜［００３２］、段落［００５０］〜［００５１］）
【発明の開示】
【発明が解決しようとする課題】
【０００３】
しかしながら、従来の現金入出金装置では、余剰金に、釣銭準備金として適切な五千円札や千円札だけでなく、釣銭準備金として不適切な一万円札や二千円札が含まれることがある。これら一万円札や二千円札は、釣銭準備金として排出されずに、釣銭収納庫に収納されたままとなる。
そして、釣銭収納庫に収納された一万円札や二千円札を利用するには、釣銭収納庫にかかった鍵を開けて取り出す必要があった。しかし、セキュリティを考慮すると、鍵を厳重に管理する必要があるため、鍵の管理者以外は、釣銭収納庫から現金を取り出すことができなかった。そのため、鍵の管理者以外が、釣銭収納庫に収納された一万円札や二千円札を資金として自由に運用することができない点で利便性に欠けていた。
【０００４】
本発明は、利用者が入金した現金から、売上金額分の現金を差し引いた余剰金を、釣銭として利用する釣銭金種と、利用しない非釣銭金種とに分け、釣銭金種の現金を釣銭準備金として釣銭収納庫に収納し、非釣銭金種の現金を排出することができる現金入出金装置を提供することを目的とする。
【課題を解決するための手段】
【０００５】
前記した課題を解決するために本発明の現金入出金装置は、売上金を収納する現金入出金装置であって、釣銭として利用する釣銭金種と非釣銭金種とを記憶する記憶部（記憶部１２）と、現金が投入されて、排出される現金入出金部（入出金部２１）と、前記現金入出金部に投入された入金現金から、売上金を収納する売上収納部（金種選出部２２、売上収納手段１１１ａ、売上収納庫２４）と、前記入金現金から前記売上金を差し引いた余剰現金のうち前記釣銭金種の釣銭現金を収納する釣銭収納部（金種選出部２２、釣銭収納手段１１１ｂ、釣銭収納庫２５）と、前記余剰現金のうち前記非釣銭金種の非釣銭現金を前記現金入出金部から排出させる非釣銭排出部（金種選出部２２、非釣銭排出手段１１１ｄ）と、前記釣銭収納部に収納された前記釣銭現金を、前記現金入出金部から排出させる釣銭排出部（金種選出部２２、釣銭排出手段１１１ｃ）と、を備える。
【発明の効果】
【０００６】
本発明は、利用者が入金した現金から、売上金額分の現金を差し引いた余剰金を、釣銭として利用する釣銭金種と、利用しない非釣銭金種とに分け、釣銭金種の現金を釣銭準備金として釣銭収納庫に収納し、非釣銭金種の現金を排出することができる現金入出金装置を提供することができる。
【発明を実施するための最良の形態】
【０００７】
（第１の実施形態）
図１は、第１の実施形態に係る現金入出金装置１の構成の一例を示すブロック図である。実線の矢印は現金の流れを示し、破線の矢印はデータの流れを示す。
現金入出金装置１は、百貨店やスーパーマーケット、コンビニエンスストア等の小売業の店舗等に設置され、利用者（レジスタの現金を入出金する店員や店長）から投入される売上金を収納し、利用者の操作に応じて、釣銭を支払うための釣銭準備金を出金するものである。
現金入出金装置１は、制御部１１と、記憶部１２と、入力部１３と、表示部１４と、入出金部２１と、金種選出部２２と、一時格納庫２３と、売上収納庫２４と、釣銭収納庫２５と、リジェクト部２６とを備える。
【０００８】
制御部１１は、売上収納手段１１ａと、釣銭収納手段１１ｂと、釣銭排出手段１１ｃと、非釣銭排出手段１１ｄとを備える。そして、制御部１１は、入力部１３から入力された情報や、記憶部１２に記憶された情報に基づいて、各手段を起動させて処理を行う。各手段の処理の詳細は後記する。これらの手段は、ＣＰＵ（Central Processing Unit）、ＲＯＭ（Read Only Memory）、ＲＡＭ（Random Access Memory）およびプログラムによって実現される。
また、制御部１１は、数を数えるなど一般的なＣＰＵ（Central Processing Unit）が有する機能を備える。
入出金部２１は、利用者から売上金を含む現金が投入される入金口であり、また、現金入出金装置１の処理に応じて、釣銭準備金などの現金を出金する出金口でもある。
【０００９】
一時格納庫２３は、入出金部２１に投入された現金が一時的に格納される。
金種選出部２２は、入出金部２１に投入された現金を取得する機能と、取得した現金（入金現金）を一時格納庫２３に格納する機能と、入金現金の現金に対して真偽および正損を鑑別する機能と、入金現金の金種を判別する機能と、制御部１１の機能を利用して入金現金の金種毎の枚数を取得する機能と、入金現金の各金種と金種毎の枚数が記録された情報（入金金種情報）を送信する機能と、制御部１１（売上収納手段１１ａ、釣銭収納手段１１ｂ、非釣銭排出手段１１ｄ）から指示された金種とその枚数を一時格納庫２３から選出する機能と、制御部１１（釣銭排出手段１１ｃ）から指示された金種とその枚数を釣銭収納庫２５から選出する機能と、制御部１１から指示された部材に選出した現金を引き渡す機能とを備える。
ここで正損の鑑別とは、汚れたり破れたりして使用に適さなくなった紙幣（損券）か、そうでない紙幣（正券）かを鑑別することを指す。
例えば、制御部１１から「一万円札を２枚選出する」指示があれば、金種選出部２２は、一時格納庫２３の現金から、一万円札、五千円札、二千円札、千円札の各紙幣および、五百円硬貨、百円硬貨、五十円硬貨、十円硬貨、五円硬貨、一円硬貨の各硬貨を判別して、「一万円札」を２枚選出する。
【００１０】
リジェクト部２６には、金種選出部２２により、偽造や損券である（不良）と鑑別された紙幣や硬貨が集積される。利用者はその紙幣や硬貨を取り出すことができる。
売上収納庫２４は、売上収納手段１１ａにより、金種選出部２２を介して一時格納庫２３から取得した現金（売上現金）を収納する。
釣銭収納庫２５は、釣銭収納手段１１ｂにより、金種選出部２２を介して一時格納庫２３から取得した現金（釣銭現金）を収納する。
売上収納庫２４および釣銭収納庫２５は、金種毎に収納する場所を区画分けしても良い。例えば、一万円札を収納する区画、五千円札を収納する区画、・・・などとする。
【００１１】
記憶部１２は、利用者が入力部１３を介して入力したその日の売上金額である設定売上金額情報、入力部１３に入力された釣銭とする金種が記録された釣銭金種情報、釣銭収納庫２５が収納できる釣銭金種毎の最大収納枚数情報、釣銭収納庫２５が収納している釣銭金種毎の収納枚数情報、釣銭準備金として入出金部２１から排出される現金の各金種と金種毎の枚数が異なる複数の構成パターン、入出金部２１における入金および出金の履歴情報、釣銭収納庫２５における入金（収納）および出金（選出）の履歴情報などを記憶する。
入力部１３は、現金入出金装置１に処理を実行させることを指示するための操作キーおよび売上金の金額等を入力するためのテンキーなどにより構成される。
また、利用者により、入力部１３を介して、その日の売上金額、釣銭とする金種、表示部１４に対する表示指示などが入力される。
表示部１４は、ＬＣＤ（Liquid Crystal Display）などであり、制御部１１からの指示に応じて記憶部１２に記憶された情報を表示する。
【００１２】
売上収納手段１１ａは、金種選出部２２から送信された入金金種情報を参照して、記憶部１２に記憶された売上金額情報と同額となるように入金金種情報の各金種と金種の枚数が選択された構成を作成し、その構成の現金（売上金）を選出することを金種選出部２２に指示し、取得した現金を売上収納庫２４へ引き渡すことを金種選出部２２に指示する。ここで、選出する売上金は高額金種が優先されて選出され、構成される。
例えば、売上金額情報が「３５，０００円」であり、金種選出部２２からの入金金種情報により、一時格納庫２３の入金現金が、「一万円札」３枚、「五千円札」３枚、「千円札」５枚である場合、売上収納手段１１ａは、『選出する売上金は「一万円札」３枚、「五千円札」１枚で構成すること』を金種選出部２２に指示する。
【００１３】
釣銭収納手段１１ｂは、金種選出部２２からの入金金種情報を参照して、記憶部１２の釣銭金種情報に記録された釣銭金種の現金を、一時格納庫２３の入金現金から選出することを金種選出部２２に指示し、選出した現金（釣銭現金）を釣銭収納庫２５へ引き渡すことを金種選出部２２に指示する。
例えば、釣銭金種情報には「五千円札」の釣銭金種が記録されており、金種選出部２２からの入金金種情報により、一時格納庫２３の入金現金が「五千円札」６枚である場合、釣銭収納手段１１ｂは、『「五千円札」６枚を選出し、釣銭収納庫２５に引き渡すこと』を金種選出部２２に指示する。
【００１４】
さらに、釣銭収納手段１１ｂは、記憶部１２に記憶された釣銭収納庫２５が収納できる釣銭金種毎の最大収納枚数情報と、釣銭収納庫２５が収納されている釣銭金種毎の収納枚数情報を参照して、一時格納庫２３に格納された現金から釣銭収納庫２５に収納できる枚数を算出し、算出した枚数までの釣銭金種を選出することを金種選出部２２に指示し、選出した現金を釣銭収納庫２５へ引き渡すことを金種選出部２２に指示する。
例えば、金種選出部２２からの入金金種情報により、一時格納庫２３の入金現金が「千円札」８枚であり、最大収納枚数情報「千円札」１００枚、収納枚数情報「千円札」９８枚である場合、釣銭収納手段１１ｂは『「千円札」２枚を選出し、釣銭収納庫２５に引き渡すこと』を金種選出部２２に指示する。さらに、釣銭収納手段１１ｂは、非釣銭排出手段１１ｄを起動させ、非釣銭排出手段１１ｄに『「千円札」６枚を選出し、入出金部２１に引き渡すこと』を金種選出部２２に指示させる。
【００１５】
釣銭排出手段１１ｃは、入力部１３から指示された金額の金種を選出することを金種選出部２２に指示し、金種選出部２２に選出した現金を入出金部２１へ引き渡すことを指示する。
非釣銭排出手段１１ｄは、金種選出部２２からの入金金種情報を参照して、記憶部１２の釣銭金種情報に記録された非釣銭金種の現金を、一時格納庫２３の入金現金から選出することを金種選出部２２に指示し、金種選出部２２に選出した現金（非釣銭現金）を入出金部２１へ引き渡すことを指示する。
例えば、釣銭金種情報には「二千円札」の非釣銭金種が記録されており、金種選出部２２からの入金金種情報により、一時格納庫２３の入金現金が「二千円札」２枚である場合、非釣銭排出手段１１ｄは、『「二千円札」２枚を選出し、入出金部２１に引き渡すこと』を金種選出部２２に指示する。
【００１６】
（第２の実施形態）
図２は、第２の実施形態に係る現金入出金装置１０１の外観図である。図３は、第２の実施形態に係る現金入出金装置１０１の構成の一例を示すブロック図である。
第２の実施形態に係る現金入出金装置１０１は、制御部１１１（売上収納手段１１１ａ、釣銭収納手段１１１ｂ、釣銭排出手段１１１ｃ、非釣銭排出手段１１１ｄ）と、記憶部１１２と、入力部１１３（操作キー１１３ａ、テンキー１１３ｂ）と、表示部１１４とを備える。前記した各部材は、図１に示す第１の実施形態に係る現金入出金装置１の、制御部１１（売上収納手段１１ａ、釣銭収納手段１１ｂ、釣銭排出手段１１ｃ、非釣銭排出手段１１ｄ）と、記憶部１２と、入力部１３と、表示部１４と同じ機能を有する。
【００１７】
第２の実施形態に係る現金入出金装置１０１は、紙幣取扱部１２０と硬貨取扱部２２０とを備える。そして、紙幣取扱部１２０は、紙幣入出金部１２１と、紙幣金種選出部１２２と、紙幣一時格納庫１２３と、紙幣売上収納庫１２４と、紙幣釣銭収納庫１２５と、紙幣リジェクト部１２６とを備える。また、硬貨取扱部２２０は、硬貨入出金部２２１と、硬貨金種選出部２２２と、硬貨一時格納庫２２３と、硬貨売上収納庫２２４と、硬貨釣銭収納庫２２５と、硬貨リジェクト部２２６とを備える。前記した各部材は、図１に示す第１の実施形態に係る現金入出金装置１の、入出金部２１と、金種選出部２２と、一時格納庫２３と、売上収納庫２４と、釣銭収納庫２５と、リジェクト部２６と同じ機能を有する。
【００１８】
第２の実施形態に係る現金入出金装置１０１は、処理対象の現金が紙幣であるか硬貨であるかで、処理を実行する部材を紙幣取扱部１２０と硬貨取扱部２２０とで分けている。
以下で、処理対象の現金が紙幣の場合における、現金入出金装置１の動作について説明するが、特に記載がない限り、硬貨取扱部３０が備える各部材は、処理対象の現金が紙幣から硬貨に代わるだけで、紙幣取扱部２０が備える各部材と同じ処理を実行することができる。
【００１９】
第２の実施形態に係る現金入出金装置１０１は、さらに、カードリーダ１１５と、伝票印刷部１１６と、回収扉１１７（図３）とを備える。
カードリーダ１１５は、レジスタの現金を入出金する利用者、現金入出金装置１０１を管理する管理者（店長やオーナーなど）、現金入出金装置１０１の紙幣売上収納庫１２４や硬貨売上収納庫２２４に収納された現金を回収する売上回収者（警備会社の警備員など）などがそれぞれ所有するＩＤ（IDentification）カードに記録されたＩＤカード情報を読み取る。
伝票印刷部１１６は、ジャーナルプリンタ等であり、制御部１１１からの指示に応じて、入金処理や出金処理の金額（金種別の金額を含む）等を伝票に印刷して出力する。
回収扉１１７は、現金入出金装置１０１内の紙幣売上収納庫１２４と硬貨売上収納庫２２４とに収納された現金を売上回収者が回収するために、現金入出金装置１０１に開閉自在に取り付けられた扉である。
【００２０】
図４〜図１０は、第２の実施形態に係る現金入出金装置１０１の動作を示すフローチャートであり、現金入出金装置１０１が行う全体処理（図４、図５）、入金処理（図６）、算出処理（図７、図８）、収納処理（売上収納処理、釣銭収納処理、非釣銭排出処理）（図９）、釣銭排出処理（図１０）を示す。
ここで、第２の実施形態に係る現金入出金装置１０１には、釣銭として使用する釣銭金種を予め設定しておく。第２の実施形態では、五千円札、千円札の各紙幣、および五百円硬貨、百円硬貨、五十円硬貨、十円硬貨、五円硬貨、一円硬貨の各硬貨を釣銭金種に設定し、一万円札、二千円札、旧五百円硬貨は非釣銭金種とする。この設定内容を釣銭金種情報として、予め現金入出金装置１０１の記憶部１１２に記憶させておく。
また、店舗などに設置され、運用開始時の現金入出金装置１０１の紙幣売上収納庫１２４や硬貨売上収納庫２２４は空であり、紙幣釣銭収納庫１２５や硬貨釣銭収納庫２２５には十分な枚数の紙幣や硬貨が収納されている。
また、紙幣売上収納庫１２４および硬貨売上収納庫２２４に収納されている現金の合計金額が、収納済売上金額情報として記憶部１１２に記憶されている。
【００２１】
以下、図４〜図５に示すフローチャートを参照しながら、図３に示す第２の実施形態に係る現金入出金装置１０１の入金収納処理の動作について説明する。
まず、利用者などが、それぞれが所有するＩＤカードを、現金入出金装置１０１に備えられたカードリーダ１１５に読み取らせる（ステップＳ１０１）。カードリーダ１１５は、ＩＤカードに記録されたＩＤカード情報を読み取り、制御部１１１にＩＤカード情報を送信する（ステップＳ１０２）。制御部１１１は、表示部１１４にパスワード入力画面を表示させる（ステップＳ１０３）。
利用者などは、表示部１１４に表示されたパスワード入力画面にて、入力部１１３を介してパスワードを入力する。制御部１１１は、入力されたパスワード情報とＩＤカード情報とは正当であるか否かを判定する（ステップＳ１０４）。
正当であれば（ステップＳ１０４，正当）、制御部１１１は表示部１１４にメニュー画面を表示させる（ステップＳ１０５）。
一方、不当（正当ではない）であれば（ステップＳ１０４，不当）、ステップＳ１０３に戻り、制御部１１１は表示部１１４に再度パスワード入力画面を表示させる。
【００２２】
メニュー画面には、「釣銭補充」、「売上入金」、「釣銭出金」、「設定変更」などの処理選択ボタンが表示される。そして、利用者により入力部１１３を介して、どの処理選択ボタンが押下（選択）されたかを判定する（ステップＳ１０６）。
例えば、利用者は「釣銭補充」を選択することにより、紙幣釣銭収納庫１２５および硬貨釣銭収納庫２２５に釣銭を補充するための処理を制御部１１１が実行し、利用者は任意の釣銭金種の現金を紙幣釣銭収納庫１２５および硬貨釣銭収納庫２２５に収納することができる。また、利用者は「設定変更」を選択することにより、記憶部１１２に記憶された釣銭金種情報、釣銭金種毎の最大収納枚数情報、釣銭金種毎の収納枚数情報などの設定情報を変更することができる。
【００２３】
ここで、利用者により「釣銭出金」が選択された場合（ステップＳ１０６，釣銭出金）、制御部１１１は釣銭出金処理（ステップＳ１０７）を実行する。釣銭出金処理の詳細は後記する。
一方、利用者により「売上入金」が選択された場合（ステップＳ１０６，売上入金）、制御部１１１は、記憶部１１２に記憶された設定売上金額情報と、同じく記憶部１１２に記憶された収納済売上金額情報とを比較する（ステップＳ１０８）。
設定売上金額情報の金額（その日の売上金額）が、収納済売上金額情報の金額（紙幣売上収納庫１２４および硬貨売上収納庫２２４に収納されている現金の合計金額）以下であれば（ステップＳ１０８，設定売上金額≦収納済売上金額）、制御部１１１は処理を終了する。
一方、設定売上金額情報の金額が、収納済売上金額情報の金額より多ければ（ステップＳ１０８，設定売上金額＞収納済売上金額）、制御部１１１は表示部１１４に設定売上金額と収納済売上金額との差分を算出し、算出結果（収納可能金額）を表示させる（ステップＳ１０９）。制御部１１１は、収納可能金額を記憶部１１２に記憶させる。
そして、制御部１１１は、入金処理を実行する（ステップＳ１１０，図５）。
【００２４】
＜入金処理＞
図６に示すフローチャートを参照しながら、ステップＳ１１０の入金処理について説明する。
制御部１１１は、紙幣入出金部１２１に紙幣シャッタ１２１ａを開かせ（ステップＳ２０１）、利用者に対して売上金の入金（投入）を促す。そして、利用者により紙幣入出金部１２１に紙幣が投入される。そして、制御部１１１は、紙幣入出金部１２１が紙幣を検知したか否かを判定する（ステップＳ２０２）。
紙幣入出金部１２１が紙幣を検知する（ステップＳ２０２，Ｙｅｓ）と、検知したことを示す信号を制御部１１１に送信し、受信した制御部１１１は紙幣入出金部１２１に紙幣シャッタ１２１ａを閉じさせる（ステップＳ２０３）。そして、紙幣金種選出部１２２は、紙幣入出金部１２１から紙幣を取得し、紙幣一時格納庫１２３に格納する（ステップＳ２０４）。
【００２５】
続いて、紙幣金種選出部１２２は、紙幣一時格納庫１２３の紙幣の真偽および正損を１枚１枚鑑別する（ステップＳ２０５）。
鑑別の結果が偽造や損券である「不良」の紙幣であれば（ステップＳ２０５，不良）、紙幣金種選出部１２２は、その「不良」の紙幣を紙幣リジェクト部１２６へ排出する（ステップＳ２０６）。
一方、鑑別の結果が本物や正券である「正常」の紙幣であれば（ステップＳ２０５，正常）、紙幣金種選出部１２２は、「正常」の紙幣の各金種と金種毎の枚数を制御部１１１の機能を利用して数える（ステップＳ２０７）。
ステップＳ２０５とステップＳ２０７の処理により、制御部１１１は、紙幣一時格納庫１２３に格納された紙幣のうち、「正常」の紙幣（格納紙幣）の各金種と金種毎の枚数の情報（格納紙幣金種情報）を作成し、格納紙幣金種情報を記憶部１１２に記憶させる（ステップＳ２０８）。そして、ステップＳ１１０の入金処理を終了する。
【００２６】
＜算出処理＞
入金処理（ステップＳ１１０，図５）が終了した後、制御部１１１は、算出処理を実行する（ステップＳ１１１）。
図７〜図８に示すフローチャートを参照しながら、ステップＳ１１１の算出処理について説明する。
【００２７】
＜売上金構成情報作成＞
制御部１１１は、ステップＳ２０８（図６）の処理により、記憶部１１２に記憶された格納紙幣金種情報から、紙幣一時格納庫１２３に格納されている格納紙幣の合計金額（格納紙幣合計額）を算出する（ステップＳ３０１，図７）。
制御部１１１は、同様に、記憶部１１２に記憶された格納硬貨金種情報から、硬貨一時格納庫２２３に格納されている格納硬貨の合計金額（格納硬貨合計額）を算出する（ステップＳ３０２）。
そして、制御部１１１は、格納紙幣合計額と格納硬貨合計額とを加えた格納現金合計額を算出する（ステップＳ３０３）。
【００２８】
制御部１１１（売上収納手段１１１ａ）は、格納現金合計額と、ステップＳ１０９（図４）にて算出し記憶部１１２に記憶された収納可能金額とを比較する（ステップＳ３０４）。
収納可能金額が格納現金合計額以上であれば（ステップＳ３０４，収納可能金額≧格納現金合計額）、格納紙幣と格納硬貨のすべて（格納現金）を売上金とし、売上金（格納現金）の各金種と金種毎の枚数を記録した売上構成情報を作成する（ステップＳ３０５）。
一方、収納可能金額が格納現金合計額より少なければ（ステップＳ３０４，収納可能金額＜格納現金合計額）、売上収納手段１１１ａは、高額金種から優先して、まず、格納紙幣金種情報の金種とその枚数を選択し、次に、格納硬貨金種情報の金種とその枚数を選択して、選択構成情報を作成する。そして、選択構成情報の各金種と金種の枚数から算出した合計額と、収納可能金額とが一致する選択構成情報があるか否かを判定する（ステップＳ３０６）。
【００２９】
収納可能金額と一致する選択構成情報がない（選択構成情報を作成できない）場合（ステップＳ３０６，Ｎｏ）、売上収納手段１１１ａは、表示部１１４に「売上金を構成することができない」ことを表示し、紙幣金種選出部１２２に、紙幣一時格納庫１２３の格納紙幣を紙幣入出金部１２１へ排出させる（ステップＳ３０７）。同様に、売上収納手段１１１ａは硬貨金種選出部２２２に、硬貨一時格納庫２２３の格納硬貨を硬貨入出金部２２１へ排出させる。そして処理を終了する。
収納可能金額と一致する選択構成情報がある（選択構成情報を作成できる）場合（ステップＳ３０６，Ｙｅｓ）、売上収納手段１１１ａは、選択構成情報を売上構成情報とする（ステップＳ３０８）。
そして、売上収納手段１１１ａは、ステップＳ３０５とステップＳ３０８の処理で作成した売上構成情報を、記憶部１１２に記憶させる（ステップＳ３０９）。
【００３０】
＜釣銭構成情報作成＞
次に、制御部１１１（釣銭収納手段１１１ｂ）は、記憶部１１２から、釣銭金種情報、釣銭金種毎の最大収納枚数情報、釣銭金種毎の収納枚数情報を取得する（ステップＳ３１０，図８）。
釣銭収納手段１１１ｂは、格納紙幣金種情報および格納硬貨金種情報の金種毎の枚数から、売上構成情報の金種毎の枚数を差し引いた余剰格納金種情報を作成する（ステップＳ３１１）。余剰格納金種情報には各金種と金種毎の枚数が記録されている。
釣銭収納手段１１１ｂは、『釣銭金種情報の金種（釣銭金種）のうち高額金種から優先して、余剰格納金種情報の金種とその枚数を選択すること（条件１）』と、『釣銭金種毎に、条件１で選択した枚数（釣銭枚数）と、収納枚数情報の収納枚数とを加えた合計枚数が、最大収納枚数情報の最大収納枚数以下であること（釣銭枚数＋収納枚数≦最大収納枚数，条件２）』との２つの条件を満たす釣銭構成情報を作成し、釣銭構成情報を記憶部１１２に記憶させる（ステップＳ３１２）。釣銭構成情報には各金種と金種毎の枚数が記録される。
【００３１】
＜非釣銭構成情報作成＞
制御部１１１（非釣銭排出手段１１１ｄ）は、余剰格納金種情報の金種毎の枚数から、釣銭構成情報の金種毎の枚数を差し引いた非釣銭構成情報を作成し、非釣銭構成情報を記憶部１１２に記憶させる（ステップＳ３１３）。非釣銭構成情報には各金種と金種毎の枚数が記録される。
【００３２】
＜「売上収納額／釣銭収納額／排出額」算出処理＞
制御部１１１は、売上構成情報の各金種と金種毎の枚数からその合計金額（売上収納額）を算出する。同様に、釣銭構成情報からその合計金額（釣銭収納額）を算出し、非釣銭構成情報からその合計金額（排出額）を算出する（ステップＳ３１４）。そして、ステップＳ１１１（図５）の算出処理を終了する。
【００３３】
算出処理（ステップＳ１１１，図５）が終了した後、制御部１１１は、例えば表示部１１４に、売上構成情報の各金種と金種毎の枚数と売上収納額と、釣銭構成情報の各金種と金種毎の枚数と釣銭収納額と、非釣銭構成情報の各金種と金種毎の枚数と排出額と、利用者に対して現金入出金装置１０１に入金した現金を収納するか否かを促す収納確認メッセージと、選択ボタン（収納する／収納しない）を表示させる（ステップＳ１１２）。
そして、利用者により選択ボタン「収納する」が押下されたか否かを判定する（ステップＳ１１３）。
選択ボタン「収納しない」が押下されると（ステップＳ１１３，収納しない）、制御部１１１は紙幣金種選出部１２２に、紙幣一時格納庫１２３の格納紙幣を紙幣入出金部１２１へ排出させる（ステップＳ１１４）。同様に、制御部１１１は硬貨金種選出部２２２に、硬貨一時格納庫２２３の格納硬貨を硬貨入出金部２２１へ排出させる。そして処理を終了する。
一方、選択ボタン「収納する」が押下されると（ステップＳ１１３，収納する）、制御部１１１は、収納処理を実行する（ステップＳ１１５）。
【００３４】
＜収納処理＞
＜売上収納処理＞
図９に示すフローチャートを参照しながら、ステップＳ１１５の収納処理について説明する。
制御部１１１（売上収納手段１１１ａ）は、記憶部１１２から売上構成情報を取得し、紙幣金種選出部１２２を制御して、紙幣一時格納庫１２３から、売上構成情報に記録された金種毎の枚数分の紙幣を選出させる（ステップＳ４０１）。
売上収納手段１１１ａは、紙幣金種選出部１２２を制御して、選出した紙幣（売上紙幣）を、紙幣売上収納庫１２４に収納させる（ステップＳ４０２）。そして、記憶部１１２に記憶された、紙幣売上収納庫１２４および硬貨売上収納庫２２４に収納されている現金の合計金額を示す収納済売上金額情報を更新する。
【００３５】
＜釣銭収納処理＞
制御部１１１（釣銭収納手段１１１ｂ）は、記憶部１１２から釣銭構成情報を取得し、紙幣金種選出部１２２を制御して、紙幣一時格納庫１２３から、釣銭構成情報に記録された金種毎の枚数分の紙幣を選出させる（ステップＳ４０３）。
そして、釣銭収納手段１１１ｂは、紙幣金種選出部１２２を制御して、選出した紙幣（収納釣銭紙幣）を、紙幣釣銭収納庫１２５に収納させる（ステップＳ４０４）。
【００３６】
＜非釣銭排出処理＞
制御部１１１（非釣銭排出手段１１１ｄ）は、記憶部１１２から非釣銭構成情報を取得し、紙幣金種選出部１２２を制御して、紙幣一時格納庫１２３から、非釣銭構成情報に記録された金種毎の枚数分の紙幣を選出させる（ステップＳ４０５）。
そして、非釣銭排出手段１１１ｄは、紙幣金種選出部１２２を制御して、選出した紙幣（非釣銭紙幣）を、紙幣入出金部１２１へ排出させる（ステップＳ４０６）。そして、ステップＳ１１５（図５）の収納処理を終了する。
【００３７】
収納処理（ステップＳ１１５，図５）が終了した後、制御部１１１は、伝票印刷部１１６を制御して、ステップＳ１１２にて表示部１１４に表示した、売上構成情報の各金種と金種毎の枚数と売上収納額と、釣銭構成情報の各金種と金種毎の枚数と釣銭収納額と、非釣銭構成情報の各金種と金種毎の枚数と排出額とを伝票に印字出力させる（ステップＳ１１６）。そして、現金入出金装置１０１は処理を終了する。
【００３８】
＜釣銭出金処理＞
図１０に示すフローチャートを参照しながら、ステップＳ１０７（図４）の釣銭出金処理について説明する。
制御部１１１は、記憶部１１２から釣銭設定情報や画面情報を取得し、表示部１１４に、釣銭設定情報に記録された釣銭準備金の構成パターンの選択ボタンや、入力部１１３から入力可能な釣銭金種毎の枚数入力欄などを表示した釣銭内訳入力画面を表示させる（ステップＳ５０１）。釣銭設定情報には、釣銭準備金の構成パターンが複数記録されており、構成パターンにより排出される釣銭準備金の各金種と金種毎の枚数が異なる。
【００３９】
そして、制御部１１１は、利用者により釣銭内訳入力画面にて選択ボタンが押下されたか／入力欄に入力されたか（選択／入力されたか）を判定する（ステップＳ５０２）
利用者により入力部１１３を介して構成パターンの選択ボタンが押下された場合（ステップＳ５０２、選択）、制御部１１１は選択された構成パターンに該当する釣銭設定情報の構成パターンから釣銭金種と金種毎の枚数を取得する（ステップＳ５０３）。
一方、利用者により入力部１１３を介して枚数入力欄に釣銭金種毎の枚数が入力された場合（ステップＳ５０２、入力）、制御部１１１は入力情報を取得し、入力情報から釣銭金種と金種毎の枚数を取得する（ステップＳ５０４）。
【００４０】
制御部１１１は、紙幣金種選出部１２２を制御して、紙幣釣銭収納庫１２５から、ステップＳ５０３またはステップＳ５０４で取得した釣銭金種と金種毎の枚数分の紙幣を選出させる（ステップＳ５０５）。
そして、制御部１１１は、紙幣金種選出部１２２を制御して、選出した紙幣（排出釣銭紙幣）を紙幣入出金部１２１へ排出させる（ステップＳ５０６）。同様に、制御部１１１は、硬貨金種選出部２２２を制御して、排出釣銭硬貨を硬貨入出金部２２１へ排出させる。排出後、現金入出金装置１０１はすべての処理を終了する。
【００４１】
前記した第１および第２の実施形態によれば、釣銭金種の現金だけを釣銭準備金として釣銭収納庫２５（紙幣釣銭収納庫１２５、硬貨釣銭収納庫２２５）に収納し、非釣銭金種の現金を入出金部２１（紙幣入出金部１２１、硬貨入出金部２２１）に排出することができる。これにより、売上金および釣銭用の現金を確保した上で、釣銭にならない一万円札、釣銭に適さない二千円札や旧五百円硬貨を排出し、利用者に返却することができる。そして、利用者は、返却された現金を銀行で釣銭金種に両替したり、商品の仕入れなどの資金として自由に運用することができる。
【００４２】
また、前記した第２の実施形態によれば、紙幣釣銭収納庫１２５（硬貨釣銭収納庫２２５）に収納する最大収納枚数が決められており、その枚数を超過する枚数の釣銭金種の現金は排出し（ステップＳ３１２〜Ｓ３１４（図８）、ステップＳ４０５〜Ｓ４０６（図９））、利用者に返却することができる。そして、利用者は、返却された現金を別の釣銭金種に両替したり、資金として自由に運用することができる。
【００４３】
前記した第２の実施形態により、ステップＳ３０６（図７）の判定において、例えば、収納可能金額が「２８，０００円」であり、格納現金合計額が「４７，０００円」であり、格納現金の内訳が、紙幣一時格納庫１２３の格納紙幣が「一万円札」２枚、「五千円札」３枚、「千円札」１２枚である場合、売上収納手段１１１ａは、高額金種から優先して、選択構成情報を作成するが、この場合「千円札」が１枚足りないため、収納可能金額（２３，０００円）と一致する選択構成情報を作成することができない（ステップＳ３０６，Ｎｏ）。そのため、売上収納手段１１１ａは、表示部１１４に「売上金を構成することができない」ことを表示し、紙幣金種選出部１２２に、紙幣一時格納庫１２３の格納紙幣を紙幣入出金部１２１へ排出させることになる（ステップＳ３０７の処理）。
上記例のように排出処理が行われることで、売上金を確実に売上収納庫（紙幣売上収納庫１２４、硬貨売上収納庫２２４）に収納することができる。
【００４４】
また、前記した第２の実施形態によれば、ステップＳ３０６（図７）の判定にて、『収納可能金額と一致する選択構成情報を作成できない場合（ステップＳ３０６，Ｎｏ）、売上収納手段１１１ａは、表示部１１４に「売上金を構成することができない」ことを表示し、紙幣金種選出部１２２に、紙幣一時格納庫１２３の格納紙幣を紙幣入出金部１２１へ排出させ（ステップＳ３０７）、処理を終了する。』としたが、（１）紙幣金種選出部１２２および硬貨金種選出部２２２が、紙幣釣銭収納庫１２５および硬貨釣銭収納庫２２５から、制御部１１１に指示された金種とその枚数を選出する機能と、（２）制御部１１１が、金種選出部１２２を制御して、紙幣釣銭収納庫１２５および硬貨釣銭収納庫２２５に紙幣や硬貨を収納したときに、収納した各金種と金種毎の枚数情報（収納紙幣金種情報、収納硬貨金種情報）を記憶部１１２に記憶する機能と、を備えるようにしても良い。
【００４５】
（１）と（２）の機能を備えることにより、制御部１１１は、紙幣金種選出部１２２および硬貨金種選出部２２２を制御して、紙幣釣銭収納庫１２５および硬貨釣銭収納庫２２５から、収納紙幣金種情報および収納硬貨金種情報に基づいて指示した金種とその枚数を選出することができる。
よって、ステップＳ３０６の選択構成情報を作成する処理にて、格納紙幣金種情報および格納硬貨金種情報の金種とその枚数を選択した後で、さらに、制御部１１１は、収納紙幣金種情報および収納硬貨金種情報の金種とその枚数を選択することができるようになる。つまり、制御部１１１は、ステップＳ３０６の処理にて、収納可能金額と一致する選択構成情報を作成することができるようになる。
【図面の簡単な説明】
【００４６】
【図１】第１の実施形態に係る現金入出金装置の構成の一例を示すブロック図である。
【図２】第２の実施形態に係る現金入出金装置の外観図である。
【図３】第２の実施形態に係る現金入出金装置の構成の一例を示すブロック図である。
【図４】第２の実施形態に係る現金入出金装置の全体処理（前半）を示すフローチャートである。
【図５】第２の実施形態に係る現金入出金装置の全体処理（後半）を示すフローチャートである。
【図６】第２の実施形態に係る現金入出金装置の入金処理を示すフローチャートである。
【図７】第２の実施形態に係る現金入出金装置の算出処理（前半）を示すフローチャートである。
【図８】第２の実施形態に係る現金入出金装置の算出処理（後半）を示すフローチャートである。
【図９】第２の実施形態に係る現金入出金装置の収納処理を示すフローチャートである。
【図１０】第２の実施形態に係る現金入出金装置の釣銭排出処理を示すフローチャートである。
【符号の説明】
【００４７】
１      現金入出金装置
１１    制御部
１１ａ  売上収納手段
１１ｂ  釣銭収納手段
１１ｃ  釣銭排出手段
１１ｄ  非釣銭排出手段
１２    記憶部
１３    入力部
１４    表示部
２１    入出金部
２２    金種選出部
２３    一時格納庫
２４    売上収納庫
２５    釣銭収納庫
２６    リジェクト部
１０１  現金入出金装置
１１１  制御部
１１１ａ  売上収納手段
１１１ｂ  釣銭収納手段
１１１ｃ  釣銭排出手段
１１１ｄ  非釣銭排出手段
１１２  記憶部
１１３  入力部
１１４  表示部
１１５  カードリーダ
１１６  伝票印刷部
１２０  紙幣取扱部
１２１  紙幣入出金部
１２２  紙幣金種選出部
１２３  紙幣一時格納庫
１２４  紙幣売上収納庫
１２５  紙幣釣銭収納庫
１２６  紙幣リジェクト部
２２０  硬貨取扱部
２２１  硬貨入出金部
２２２  硬貨金種選出部
２２３  硬貨一時格納庫
２２４  硬貨売上収納庫
２２５  硬貨釣銭収納庫
２２６  硬貨リジェクト部
【図１】
2010055401.tif 000003
【図２】
2010055401.tif 000004
【図３】
2010055401.tif 000005
【図４】
2010055401.tif 000006
【図５】
2010055401.tif 000007
【図６】
2010055401.tif 000008
【図７】
2010055401.tif 000009
【図８】
2010055401.tif 000010
【図９】
2010055401.tif 000011
【図１０】
2010055401.tif 000012